【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
金融手段を認めるかどうかを決定するためのコンピュータインプリメントされる方法であって、
前記方法は、
前記金融手段に関連する情報を受け取ることであって、前記情報は、エンティティによって提供され、前記金融手段は、価値転送のための資金源として用いられる、ことと、
前記エンティティに関連するリスクレベルを決定することと、
前記エンティティに関連する前記リスクレベルが第１リスク閾値よりも小さいことに基づいて、前記資金源として前記金融手段を認めることと、
前記エンティティに関連する前記リスクレベルが第２リスク閾値よりも大きいことに基づいて、前記資金源として前記金融手段を拒絶することと、
前記エンティティに関連する前記リスクレベルが前記第１リスク閾値と前記第２リスク閾値との間にあることに基づいて、少なくとも１つのプロセッサを用いて、前記エンティティが前記資金源として金融手段を用いることが許可されているかどうかを確認することと
を含む、コンピュータインプリメントされる方法。
【請求項２】
前記確認することは、前記金融手段を用いて、金融機関との少なくとも１つの取引を開始することと、前記少なくとも１つの取引に関連する１つ以上の属性の第１セットを格納することとを含む、請求項１に記載のコンピュータインプリメントされる方法。
【請求項３】
前記エンティティから１つ以上の属性の第２セットを受け取ることと、
１つ以上の属性の前記第２セットを用いて、前記エンティティが前記金融手段を用いることを許可されているという決定に基づいて、前記資金源として前記金融手段を認めることと
をさらに含む、請求項２に記載のコンピュータインプリメントされる方法。
【請求項４】
前記金融手段は、１つ以上の属性の前記第２セットが１つ以上の属性の前記第１セットに類似していることに基づいて認められる、請求項３に記載のコンピュータインプリメントされる方法。
【請求項５】
前記取引に関連する１つ以上の属性の前記第１セットを格納することは、確認詳細を格納することを含む、請求項２に記載のコンピュータインプリメントされる方法。
【請求項６】
前記確認詳細は、価値の金額、取引のタイプ、および商人のＩＤのうちの少なくとも１つである、請求項５に記載のコンピュータインプリメントされる方法。
【請求項７】
前記エンティティに関連する前記リスクレベルは、前記価値転送に関連する価値の金額に基づいて決定される、請求項１に記載のコンピュータインプリメントされる方法。
【請求項８】
前記エンティティに関連する前記リスクレベルは、前記エンティティが新規のエンティティであるかどうかに基づいて決定される、請求項１に記載のコンピュータインプリメントされる方法。
【請求項９】
前記エンティティは、人物である、請求項１に記載のコンピュータインプリメントされる方法。
【請求項１０】
前記金融手段は、クレジットカード、デビットカード、銀行預金口座、当座預金口座、普通預金口座、またはチャージカードのうちの１つである、請求項１に記載のコンピュータインプリメントされる方法。
【請求項１１】
リスクレベルに基づいて金融口座を認めるためのコンピュータインプリメントされる方法であって、
前記方法は、
エンティティによって提示された金融口座に関連する情報を受け取ったことに応答して、前記エンティティに関連するリスクレベルを決定することと、
前記エンティティに関連する前記リスクレベルが許容範囲内にあることに基づいて、前記金融口座に関連する前記情報を認めることと、
前記リスクレベルが前記許容範囲外にあることに基づいて、
少なくとも１つのプロセッサを用いて、前記金融口座に関連する前記情報を用いる少なくとも１つの確認取引を開始すること、および
前記少なくとも１つの確認取引の詳細を確認するように前記エンティティに要求することと
を含む、コンピュータインプリメントされる方法。
【請求項１２】
前記確認取引の前記詳細を確認するように前記エンティティに要求する前に、前記確認取引の前記詳細を格納することをさらに含む、請求項１１に記載のコンピュータインプリメントされる方法。
【請求項１３】
前記エンティティは、前記金融口座に関連する金融機関から前記確認取引の前記詳細を受け取る、請求項１２に記載のコンピュータインプリメントされる方法。
【請求項１４】
前記確認取引の前記詳細は、価値の金額、取引のタイプ、または商人のＩＤのうちの少なくとも１つを含む、請求項１３に記載のコンピュータインプリメントされる方法。
【請求項１５】
前記エンティティに関連する前記リスクレベルは、前記エンティティによって要求される転送価値に基づいて決定される、請求項１１に記載のコンピュータインプリメントされる方法。
【請求項１６】
前記エンティティに関連する前記リスクレベルは、前記エンティティが既存のエンティティであること、または新規のエンティティであることに基づいて決定される、請求項１１に記載のコンピュータインプリメントされる方法。
【請求項１７】
前記金融口座は、クレジットカード、デビットカード、銀行預金口座、当座預金口座、普通預金口座、またはチャージカードのうちの少なくとも１つに関連する、請求項１１に記載のコンピュータインプリメントされる方法。
【請求項１８】
命令を格納しているコンピュータ読み取り可能な非一時的な格納媒体であって、前記命令は、コンピュータシステムによって実行された場合に、
金融手段に関連する情報を受け取ることであって、前記情報は、エンティティによって提供され、前記金融手段は、価値転送のための資金源として用いられる、ことと、
前記エンティティに関連するリスクレベルを決定することと、
前記エンティティに関連する前記リスクレベルが第１リスク閾値よりも小さいことに基づいて、前記資金源として前記金融手段を認めることと、
前記エンティティに関連する前記リスクレベルが第２リスク閾値よりも大きいことに基づいて、前記資金源として前記金融手段を拒絶することと、
前記エンティティに関連する前記リスクレベルが前記第１リスク閾値と前記第２リスク閾値との間にあることに基づいて、前記エンティティが前記資金源として金融手段を用いることが許可されているかどうかを確認することと
を前記コンピュータシステムに行わせる、コンピュータ読み取り可能な非一時的な格納媒体。
【請求項１９】
命令を格納しているコンピュータ読み取り可能な非一時的な格納媒体であって、前記命令は、コンピュータシステムによって実行された場合に、
エンティティによって提示された金融口座に関連する情報を受け取ったことに応答して、前記エンティティに関連するリスクレベルを決定することと、
前記エンティティに関連する前記リスクレベルが許容範囲内にあることに基づいて、前記金融口座に関連する前記情報を認めることと、
前記リスクレベルが前記許容範囲外にあることに基づいて、
前記金融口座に関連する前記情報を用いる少なくとも１つの確認取引を開始すること、および
前記少なくとも１つの確認取引の詳細を確認するように前記エンティティに要求することと
を前記コンピュータシステムに行わせる、コンピュータ読み取り可能な非一時的な格納媒体。
【請求項２０】
外部の金融口座を用いるユーザの許可を確認するためのシステムであって、前記システムは、
エンティティから金融口座に関連する情報を受け取ることと、前記エンティティに関連するリスクレベルを決定することと、前記決定されたリスクレベルに基づいて、１つ以上の確認取引を開始することとを行うプロセッサと、
前記プロセッサに結合されたメモリであって、前記メモリは、前記１つ以上の確認取引に関連する確認詳細の第１セットを格納し、前記プロセッサは、前記エンティティによって提供された確認詳細の第２セットが確認詳細の前記第１セットに類似していることに基づいて、前記金融口座を認める、メモリと
を含む、システム。
【請求項２１】
前記プロセッサは、確認詳細の前記第２セットを提供するように前記エンティティに要求する、請求項２０に記載のシステム。
【請求項２２】
前記エンティティは、前記金融口座に関連する金融機関から確認詳細の前記第２セットを受け取る、請求項２１に記載のシステム。
【請求項２３】
前記エンティティに関連する前記リスクレベルは、前記エンティティによって要求された価値転送の金額に基づいている、請求項２０に記載のシステム。
【請求項２４】
前記エンティティに関連する前記リスクレベルは、前記エンティティが既存のエンティティであること、または新規のエンティティであることに基づいている、請求項２０に記載のシステム。
【請求項２５】
前記金融口座は、クレジットカード、デビットカード、銀行預金口座、当座預金口座、普通預金口座、またはチャージカードのうちの少なくとも１つである、請求項２０に記載のシステム。